(57)【要約】【課題】  消火栓装置の扉の構成について、強度を上げながら簡単に取手を形成する。【解決手段】  筐体１０１内部の図示しない消火器を利用するときに開放される消火器扉６ｃを有する消火栓装置１００において、消火器扉６ｃの扉板１１の背面に横断または縦断する断面略コ字状の補強部材１２が設けられ、補強部材１２に該当する位置に扉板１１の開口部１３を形成し、取手としているものである。これによって、扉板１１の強度を上げることができるとともに、その断面略コ字状の内部に空間を利用して取手としているので、簡単な構造で取手を形成することができる。【選択図】  図４
2006271694.tif 000002
【特許請求の範囲】
【請求項１】
内部の消火用具を利用するときに開放される扉を有する消火栓装置において、
前記扉の扉板の背面に横断または縦断する断面略コ字状の補強部材が設けられ、該補強部材に該当する位置に前記扉板の開口部を形成し、取手を形成していることを特徴とする消火栓装置。
【請求項２】
補強部材は、その両端が封じられている請求項１の消火栓装置。
【発明の詳細な説明】
【技術分野】
【０００１】
この発明は、道路用トンネル等に用いられる消火栓装置に関する。
【背景技術】
【０００２】
例えば、消火器が収納される部分に消火器扉が設けられている道路向けの消火栓装置が特開２００１−５８０１２号公報に示されている。この消火栓における消火器扉は、前面にハンドルが配置され、そのハンドルを引くことでラッチを外して開放することができる。このように消火器扉は横開き式に開放されるように構成されている。
【特許文献１】特開２００１−５８０１２号公報
【発明の開示】
【発明が解決しようとする課題】
【０００３】
このような消火栓装置の消火器扉には、ラッチ機構を設けるとともに、ハンドルが配置されるように開口部にカバー部材を利用するのが通常で、こういった開放機構によって扉の構造を複雑にするのみで、扉自体を何ら補強することができない。そして、扉の構成にカバー等の多くの部材を必要としてコスト面でも問題であった。
【０００４】
したがって、この発明では、消火栓装置の扉の構成について、強度を上げながら簡単に取手を形成することを目的としている。
【課題を解決するための手段】
【０００５】
この発明の請求項１に係る消火栓装置は、内部の消火用具を利用するときに開放される扉を有する消火栓装置において、前記扉の扉板の背面に横断または縦断する断面略コ字状の補強部材が設けられ、該補強部材に該当する位置に前記扉板の開口部を形成し、取手を形成していることを特徴とするものである。
【０００６】
また、この発明の請求項２では、補強部材は、その両端が封じられているものである。
【発明の効果】
【０００７】
請求項１に係る消火栓装置は、扉の扉板の背面に横断または縦断する断面略コ字状の補強部材が設けられ、補強部材に該当する位置に扉板の開口部を形成し、取手を形成しているので、扉板の強度を上げることができるとともに、その断面略コ字状の内部に空間を利用して取手としているので、簡単な構造で取手を形成することができる。
【０００８】
また、請求項２では、補強部材の開口を封じることにより、扉板の開口部からゴミ等の異物が入り込んだとしても、補強部材を抜けて筐体に入り込むことを防止することができる。
【発明を実施するための最良の形態】
【０００９】
以下、この発明の一実施の形態について図面によって説明する。
【００１０】
図１は消火栓装置の正面を、図２はそれを用いる消火栓装置全体を示すものである。図２において、消火栓装置１００は、消火用ホースを内巻に収納してなる、いわゆる内巻式の消火栓装置である。この消火栓装置１００は、例えばトンネル内の車道に隣接する監査路上に設置されたり、トンネルの内壁に埋設されて設置されたりするものである。
【００１１】
このような、消火栓装置１００は、消火栓収納部１００ａ、電気機器部１００ｂおよび消火器収納部１００ｃとに区分され、消火栓収納部１００ａは、その筐体１０１内に、先端に消火用のノズル３０を有するホース１０４、そのホース１０４を内巻に収納するホース収納部１０５、消火用水供給用配管１０６、三方切替弁１０７、圧力調整弁１０８、消火栓弁１０９、消防隊用給水栓１１０等を備えている。
【００１２】
ホース収納部１０５の前面には、ホース収納部１０５内よりホース１０４を引き出すため、及びホース収納部１０５内にホース１０４を収納するための開口部１０５ａが設けられており、筐体１０１の前面には、ホース収納部１０５の開口部１０５ａを筐体１０１の外部に露出させる、消火栓開口部１０１ａが設けられている。
【００１３】
筐体１０１には、その消火栓開口部１０１ａを開閉自在にする前面扉として、消火栓開口部１０１ａの下縁を支点として上縁側が前方に開放動作する前傾扉６が設けられている。
【００１４】
また、消火器収納部１００ｃにおいて、その筐体１０１の内壁下面上に、図示しない消火器を通常２本備えている。筐体１０１の正面には、消火器を出し入れ自由とするため、消火器開口部を開閉自在にする前面扉として、左側を支点として横開きに開放動作する消火器扉６ｃが設けられている。
【００１５】
また、電気機器部１００ｂにおいて、図１に示されるように、消火栓収納部１００ａおよび消火器収納部１００ｃの間の筐体１０１前面部分に取付板８１が四隅のねじ止めによって取り付けられていて、電気機器として、消火栓装置１００の位置を示すための表示灯８２、事故等の発生時に緊急に通報するための発信機８３、発信機８３使用時に発信に対する応答の有無を示すための応答ランプ８４、および、点検時等に図示しない防災センタと通話する際に用いられる電話ジャック８５が装着されている。これら以外に、非常用コンセントやスピーカが組み合わされてもよく、また、上記各機器をすべて具備している必要はない。
【００１６】
取付板８１は、筐体１０１に着脱可能であり、製造時の各機器の取り付けや保守点検の場合に作業が行いやすい。この取付板８１に、上記各電気機器を縦方向に整列して設けているので、消火栓装置１００全体の高さに対して効率的に配置され、装置１００全体の小型化に寄与している。また、この取付板８１の背面側に各機器に電源や信号線を接続される端子台８６が設けられている。この取付板８１は、４隅をねじ止めしているが、それ以外の取付方式であってもよく、フックを用いたりしてねじの数を省略してもよい。
【００１７】
図３および図４は、図１の消火器扉６ｃを全開にした場合の要部正面図、消火器扉６ｃの背面側からの外観図である。
【００１８】
消火器扉６ｃの背面側には、扉板１１を横断するように補強部材１２が設けられている。この補強部材１２は、図５に示すように断面略コ字状に形成されており、そのコ字状開口側の上下方向に取付部１２ｂが形成されている。補強部材１２はこの取付部１２ｂを扉板１１にボルト締めされて固定されている。扉板１１には、補強部材１２のコ字状開口に対応する位置に、開口部１３が形成されて、取手として利用できるようにされ、さらに、補強部材１２の左右の開口部分を覆う封板１４が装着されている。なお、補強部材１２の扉板１１への固定はボルト締めでなくても強固な方式であればよく、溶接等で固定してもよい。
【００１９】
また、消火器扉６ｃの背面側上下２ヶ所に、マグネット式に閉鎖状態でロックされるための図示しない磁石の当り部１５が形成されている。
【００２０】
このような消火器扉６ｃは、閉鎖状態において操作者が前面側から開口部１３を通して手を入れ、扉板１１を手前に引っ張ることにより、マグネット式のロックを外して消火器扉６ｃを開放させることができる。そして、操作者は消火器収納部１００ｃ内に収納された図示しない消火器を取り出して消火活動を行うことができる。
【００２１】
なお、開口部１３は、板金による扉板１１を切り欠いた状態としておくと、角が立って操作の際に操作者が怪我をする可能性があるので、樹脂製の保護部材を嵌め込むことなどが好ましいが、扉板１１の正面側は、消火栓装置１００として通常赤系の塗装が施され、その塗装を開口部１３の周縁に施すことによって保護部材とすることができる。
【００２２】
また、開口部１３の配置は、取手として利用する都合から、扉板１１の外周部分でなく、かつ、補強部材１２のコ字状の開口上端に当たらない場所にする必要がある。すなわち、開口部１３に手を掛けたとき、上側や左右側に扉板１１の余裕に指が掛かる位置にある必要がある。
【００２３】
そして、消火器扉６ｃの取手として、扉板１１に開口部１３を設けると、筐体１０１内にゴミ等が入り込んでしまうが、開口部１３の背面側に補強部材１２が配置されているとともに、補強部材１２に封板１４を組合せることによって開口部１３を封じることができ、ゴミ等が筐体１０１内に溜まることを防止できる。なお、この封板１４は別体を用意する必要はなく、扉板１１の成形時に周縁部分を延出させて、扉板１１と一体としてもよい。
【００２４】
このような実施の形態において、筐体１０１内部の図示しない消火器を利用するときに開放される消火器扉６ｃを有する消火栓装置１００において、消火器扉６ｃの扉板１１の背面に横断または縦断する断面略コ字状の補強部材１２が設けられ、補強部材１２に該当する位置に扉板１１の開口部１３を形成し、取手としているものである。これによって、扉板１１の強度を上げることができるとともに、その断面略コ字状の内部に空間を利用して取手としているので、簡単な構造で取手を形成することができる。
【００２５】
また、補強部材１２は、その両端が封板１４によって封じられているものであり、扉板１１の開口部１３から、ゴミ等の異物が入ったとしても、補強部材１２を抜けて筐体１０１に入り込むことを防止することができる。
【００２６】
なお、消火栓装置１００の内部の消火用具を利用するときに開放される扉として、消火器扉６ｃに用いる場合について示したが、その他の扉、例えば消火栓や消防隊用給水栓の格納部の扉として利用して良いことはもちろんである。
【００２７】
また、消火器扉の開閉方式をマグネット式としているが、必ずしもその方式に限定するものではない。
【図面の簡単な説明】
【００２８】
【図１】実施の形態１の消火栓装置の正面図。
【図２】図１の消火栓装置の外観を示す斜視図。
【図３】図１の消火栓装置の消火器扉を全開にした場合の要部正面図。
【図４】図１の消火器扉の背面側からの外観図。
【図５】補強部材の断面図。
【符号の説明】
【００２９】
１０１  筐体
１１    扉板
１２    補強部材
１３    開口部
６ｃ    消火器扉
【図１】
2006271694.tif 000003
【図２】
2006271694.tif 000004
【図３】
2006271694.tif 000005
【図４】
2006271694.tif 000006
【図５】
2006271694.tif 000007